(57)【要約】【課題】被挟持物を押圧する圧接片の突出寸法を可及的に小としうるとともに、被挟持物を均一な挟圧力で、かつ大きな挟圧面積をもって安定よく挟持しうるようにしたクリップを提供する。【解決手段】不使用時において、圧接片６が被取付部材３の外面にそれとほぼ平行をなして圧接するようにし、圧接片６と被取付部材３との間に被挟持物１０を挟入し、この被挟持物１０の先端が固定片４の遊端部の位置に達するまでは、圧接片６が外方に弾性変形し、被挟持物１０の先端が固定片４の遊端部を越える位置まで挟入されたとき、圧接片６が被挟持物１０の外面と平行になるとともに、頂片５が被挟持物１０の厚さ分だけ外方に移動し、かつ固定片４が遊端部を支点として外方に傾動しうるようにする。【選択図】  図９
2014131839.tif 000002
【特許請求の範囲】
【請求項１】
被取付部材に取り付けて被挟持物を挟持しうるようにしたクリップであって、
前記被取付部材の内面に遊端部が圧接し、かつ遊端部から基端部までの部分が被取付部材の内面から内方に離間するようにして前記被取付部材の内面に取り付けられる弾性変形可能な固定片と、
前記固定片の基端部より、前記被取付部材の縁部を覆うように外方に延出する頂片と、
前記頂片の遊端部に前記固定片と対向するように連設された弾性変形可能な圧接片とを備え、
不使用時において、前記圧接片の長手方向の少なくとも一部が、前記被取付部材の外面にそれとほぼ平行をなして圧接するようにし、前記圧接片と被取付部材との間に前記被挟持物を挟入し、この被挟持物の先端が前記固定片の遊端部の位置に達するまでは、前記圧接片が外方に弾性変形し、被挟持物の先端が前記固定片の遊端部を越える位置まで挟入されたとき、前記圧接片が前記被挟持物の外面とほぼ平行になるとともに、前記頂片が、前記被挟持物の厚さ分だけ外方に移動し、かつ前記固定片が、その遊端部を支点として外方に傾動しうるようにしたことを特徴とするクリップ。
【請求項２】
固定片の長さを圧接片よりも短寸としてなる請求項１に記載のクリップ。
【請求項３】
固定片の長さを、圧接片の長さの１／４〜１／２としてなる請求項２に記載のクリップ。
【請求項４】
固定片の遊端部に、被取付部材の内面に設けた被係合部と係合する係合部を設け、前記被係合部に係合部を係合させることにより、固定片を被取付部材に対し抜止めしてなる請求項１〜３のいずれかに記載のクリップ。
【請求項５】
被係合部を凹部または突部とするとともに、係合部を、前記凹部または突部と係合する外向きの係合片とした請求項４に記載のクリップ。
【請求項６】
固定片におけるやや頂片寄りの遊端部の外面と、この部分と対向する被取付部材の内面とのいずれか一方に、被挟持物の挟持時において前記固定片が一定以上外方に傾動したとき、被取付部材と固定片との対向面のいずれか一方に当接することにより、前記固定片の二次的な支点となる突部を設けた請求項１〜５のいずれかに記載のクリップ。
【請求項７】
固定片、頂片及び圧接片を、弾性を有する細長い薄板材を折曲することにより、一体的に形成してなる請求項１〜６のいずれかに記載のクリップ。
【請求項８】
被取付部材を、筒状軸を有する筆記具とし、前記筒状軸に設けた開口部を介して固定片を筒状軸内に挿入し、固定片の遊端部を筒状軸の内面に圧接させて抜止めするとともに、圧接片を筒状軸の外周面に圧接させてなる請求項１〜７のいずれかに記載のクリップ。
【発明の詳細な説明】
【技術分野】
【０００１】
本発明は、例えば筆記具等の被取付部材に取り付けられるクリップに関する。
【背景技術】
【０００２】
筆記具用のクリップは、例えば特許文献１に記載されているように、弾性変形可能な圧接片(クリップ本体)の基端部を、筆記具本体の外周面に、これと平行に離間するようにして取付け、圧接片の遊端部内面に突設した突部(玉部)と筆記具本体の外周面との間に挿入した、衣服のポケットの布地やノート、手帳等の被挟持物を弾性的に挟持しうるようにしたものが一般的である。このようなクリップにおいては、次のような問題がある。
(イ)圧接片が、筆記具本体の外周面に大きく突出して取り付けられているので、外観的体裁が悪いだけでなく、多数の筆記具を箱詰等して保管する際などにおいて、保管効率が悪くなる。
(ロ)衣服のポケット等の被挟持物に対し突部がほぼ点で圧接し、被挟持物の挟圧面積や摩擦抵抗が小さいため、筆記具が被挟持物より脱落することがある。特に、クリップが合成樹脂により形成されていると、経年劣化等により圧接片の弾性保持力が次第に弱くなって、クリップとしての十分な機能を果たさなくなることがある。
(ハ)圧接片の弾性変形量及び突部による挟圧力が限られるので、厚さの大きな被挟持物の挟持には適さない。
【０００３】
特許文献３には、上記(イ)及び(ロ)の問題を解決しうるクリップが、また特許文献２には、上記(ハ)の問題を解決しうるクリップが、それぞれ記載されているが、これらのクリップにおいても、次のような課題がある。
【先行技術文献】
【特許文献】
【０００４】
【特許文献１】特開２００３−２４６１８９号公報
【特許文献２】実開昭５７−６８３８７号公報
【特許文献３】特開２００７−２５３３２９号公報
【発明の概要】
【発明が解決しようとする課題】
【０００５】
上記特許文献２に記載されているクリップは、ばね鋼等の板材をヘアピン状に折曲し、一方の固定片を、円筒軸の内部に挿入して固定するとともに、被挟持物を挟圧する他方の圧接片を、円筒軸の外周面に当接させ、この他方の圧接片と円筒軸の外周面との間で被挟持物を弾性的に挟持するようにしたものであるので、圧接片が円筒軸の外周面より外方に大きく突出しないだけでなく、被挟持物の挟圧面積及び摩擦抵抗を大としうるという利点がある。
【０００６】
しかし、一方の固定片の長さ方向のほぼ全部が、円筒軸の内面に密着させて固定されているので、被挟持物を挟持する際、他方の圧接片は、折曲部を拡開方向に弾性変形させながら、この折曲部の頂部付近を支点として斜めに起立するように外向きに弾性変形する。そのため、圧接片による被挟持物の挟圧力は、クリップの折曲部に近いほど大きく、遊端部ほど小さくなり、被挟持物を均一な挟持力で挟持することができないという問題がある。この現象は、被挟持物の厚さが大きいほど起きやすく、特に厚さの大きな被挟持物を挟持したときには、圧接片が筆記具本体の外周面及び固定片に対し、折曲部の頂部付近を支点として斜め上方にＶ字状に弾性変形することとなり、圧接片の遊端部と被挟持物との間に隙間が形成される恐れがある。
【０００７】
また、上記特許文献３に記載されているクリップは、筆記具本体の外周面に突設した凸状部に、クリップ本体の長手方向の中間部を、軸体をもって揺動可能かつ外方に相対移動可能に取付け、筆記具本体とクリップ本体との間に設けた板バネの付勢力により、筆記具本体とクリップ本体との間に挟入した被挟持物を挟持するようにしたものであり、被挟持物を挟持する際に、クリップ本体が筆記具本体に対し外方に相対移動することにより、厚さの大きな被挟持物でも支障なく挟持しうるようになっている。
【０００８】
しかしながら、筆記具本体の外周面には凸状部が突設され、この凸状部に、クリップ本体を、外方に相対移動可能に取付けてあるので、筆記具本体の外周面からのクリップの突出寸法が、上記特許文献１に記載のクリップに比して、さらに大きくなる問題がある。
また、クリップの部品点数及び組立工数が多いため、筆記具がコスト高となる問題もある。
【０００９】
本発明は、上記課題に鑑みてなされたもので、被挟持物を押圧する圧接片の突出寸法を可及的に小として、被取付部材に取付けうるとともに、被挟持物を均一な挟圧力で、かつ大きな挟圧面積をもって安定よく挟持することにより、被挟持物の挟持力を高めうるようにし、さらには、簡単な構造として、被取付部材に容易に取り付けうるようにし、コスト低減が図れるようにしたクリップを提供することを目的としている。
【課題を解決するための手段】
【００１０】
本発明によると、上記課題は、次の各項のようにして解決される。
（１）被取付部材に取り付けて被挟持物を挟持しうるようにしたクリップであって、前記被取付部材の内面に遊端部が圧接し、かつ遊端部から基端部までの部分が被取付部材の内面から内方に離間するようにして前記被取付部材の内面に取り付けられる弾性変形可能な固定片と、前記固定片の基端部より、前記被取付部材の縁部を覆うように外方に延出する頂片と、前記頂片の遊端部に前記固定片と対向するように連設された弾性変形可能な圧接片とを備え、不使用時において、前記圧接片の長手方向の少なくとも一部が、前記被取付部材の外面にそれとほぼ平行をなして圧接するようにし、前記圧接片と被取付部材との間に前記被挟持物を挟入し、この被挟持物の先端が前記固定片の遊端部の位置に達するまでは、前記圧接片が外方に弾性変形し、被挟持物の先端が前記固定片の遊端部を越える位置まで挟入されたとき、前記圧接片が前記被挟持物の外面とほぼ平行になるとともに、前記頂片が、前記被挟持物の厚さ分だけ外方に移動し、かつ前記固定片が、その遊端部を支点として外方に傾動しうるようにする。
【００１１】
このような構成とすると、不使用時において、圧接片の長手方向の少なくとも一部が、被取付部材の外面にそれと平行をなして圧接し、圧接片の外方への突出寸法が小さくなるので、デザイン的に纏まりがよく、かつ被取付部材をコンパクト化することができる。
また、被挟持物の先端が固定片の遊端部の支点に達するまでは、圧接片のみが頂片を支点として外方に弾性変形するので、被挟持物を軽い力で容易に挿入することができる。被挟持物の先端が固定片の支点の位置を越える位置まで挿入すると、固定片が外方に傾動して圧接片が被挟持物とほぼ平行となり、かつ固定片と圧接片とが拡開方向に弾性変形させられて、圧接片が被挟持物の外面に強く圧接するので、被挟持物の挟持力が大となる。
さらに、被挟持物の外面に圧接片が均一に圧接し、かつ被挟持物の挟圧面積及び摩擦抵抗も大であるので、被挟持物の挟持力を高めて、これを安定よく挟持することができ、被挟持物がみだりに脱落するのが防止される。
【００１２】
（２）上記(１)項において、固定片の長さを圧接片よりも短寸とする。
【００１３】
このような構成とすると、固定片が拡開方向に弾性変形する際の抵抗力が大となり、その弾性反力も大きくなるので、被挟持物の挟持力が高まる。
【００１４】
（３）上記(２)項において、固定片の長さを、圧接片の長さの１／４〜１／２とする。
【００１５】
このような構成とすると、固定片が拡開方向に弾性変形する際に、好ましい抵抗力及び弾性反力が得られ、被挟持物を所要の挟持力で確実に挟持することができる。
【００１６】
（４）上記(１)〜(３)項のいずれかにおいて、固定片の遊端部に、被取付部材の内面に設けた被係合部と係合する係合部を設け、前記被係合部に係合部を係合させることにより、固定片を被取付部材に対し抜止めする。
【００１７】
このような構成とすると、被取付部材に、クリップを、抜止めして容易に取付けることができる。
【００１８】
（５）上記(４)項において、被係合部を凹部または突部とするとともに、係合部を、前記凹部または突部と係合する外向きの係合片とする。
【００１９】
このような構成とすると、固定片を被取付部材の内面に沿って挿入するだけで、固定片の係合片が、被取付部材の内面の凹部または突部と自動的に係合するので、被取付部材へのクリップの取付けがより容易となる。
【００２０】
（６）上記(１)〜(５)項のいずれかにおいて、固定片におけるやや頂片寄りの遊端部の外面と、この部分と対向する被取付部材の内面とのいずれか一方に、被挟持物の挟持時において前記固定片が一定以上外方に傾動したとき、被取付部材と固定片との対向面のいずれか一方に当接することにより、前記固定片の二次的な支点となる突部を設ける。
【００２１】
このような構成とすると、厚さの大きな被挟持物を挟持し、固定片が一定以上外方に傾動すると、二次的な支点である突部が被取付部材の内面と当接し、突部を支点として固定片が外方に傾動するようになるので、固定片の有効長が実質的に短くなる。その結果、固定片が拡開方向に弾性変形するときの抵抗力及び弾性反力が大となるので、厚さの大きな被挟持物でも、大きな挟持力をもって安定よく挟持することができる。
【００２２】
（７）上記(１)〜(６)項のいずれかにおいて、固定片、頂片及び圧接片を、弾性を有する細長い薄板材を折曲することにより、一体的に形成する。
【００２３】
このような構成とすると、クリップをプレス等により簡単に、かつ安価に製造しうるとともに、薄板材で形成されているので、圧接片の外方への突出寸法が極めて小さくなる。
【００２４】
（８）上記(１)〜(７)項のいずれかにおいて、被取付部材を、筒状軸を有する筆記具とし、前記筒状軸に設けた開口部を介して固定片を筒状軸内に挿入し、固定片の遊端部を筒状軸の内面に圧接させて抜止めするとともに、圧接片を筒状軸の外周面に圧接させる。
【００２５】
このような構成とすると、筆記具の筒状軸に開口部を設けるだけで、筒状軸にクリップを簡単に取付けることができ、かつ筒状軸の外周面からの圧接片の突出寸法を小としうるので、筆記具をコンパクト化することができる。
【発明の効果】
【００２６】
本発明によれば、被挟持物を押圧する圧接片の突出寸法を可及的に小として、被取付部材に取付けうるとともに、被挟持物を均一な挟圧力で、かつ大きな挟圧面積をもって安定よく挟持することにより、被挟持物の挟持力を高めうるようにしたクリップを提供することができる。
【図面の簡単な説明】
【００２７】
【図１】本発明の第１の実施形態に係るクリップを備える筆記具の側面図である。
【図２】クリップの拡大斜視図である。
【図３】クリップの拡大側面図である。
【図４】図３のクリップを右方より見た図である。
【図５】クリップ取付部のキャップの拡大縦断側面図である。
【図６】クリップ取付部のキャップの平面図である。
【図７】被挟持物の挿入初期のキャップの拡大縦断側面図である。
【図８】同じく、被挟持物を固定片の係合片の直前まで挿入したときのキャップの拡大縦断側面図である。
【図９】同じく、被挟持物を固定片の係合片を若干越える位置まで挿入したときのキャップの拡大縦断側面図である。
【図１０】同じく、被挟持物を奥端まで挿入したときのキャップの拡大縦断側面図である。
【図１１】同じく、厚さの大きな被挟持物を挿入したときのキャップの拡大縦断側面図である。
【図１２】本発明の第２の実施形態に係るクリップを備えるキャップの要部の拡大縦断側面図である。
【図１３】本発明の第３の実施形態に係るクリップを備えるキャップの要部の拡大縦断側面図である。
【図１４】本発明の第４の実施形態に係るクリップを備えるキャップの要部の拡大縦断側面図である。
【図１５】同じく、厚さの大きな被挟持物を挿入したときのキャップの拡大縦断側面図である。
【発明を実施するための形態】
【００２８】
以下、本発明の実施形態を、図面に基づいて説明する。
図１は、本発明の第１の実施形態に係るクリップ１を、被取付部材であるボールペン等の筆記具２の円筒状軸、すなわちキャップ３に取付けた例を示す側面図である。なお、以下においては、キャップ３の内周面側を内方、外周面側を外方として説明する。
【００２９】
図２〜図６に示すように、クリップ１は、例えば弾性を有するステンレス鋼よりなる細長い薄板材を折曲して一体的に形成したもので、板厚方向に弾性変形可能な上下方向の固定片４と、その基端である上端に外方に向かってやや斜め上向きに傾斜させて連設された、上面がフラットな短寸の頂片５と、頂片５の遊端に、固定片４と対向するように下向き垂直に連設された、板厚方向に弾性変形可能な圧接片６とを備えている。頂片５を斜め上向きに傾斜させてあるのは、キャップ３の上面も斜め上向きに傾斜しているためであり、このように、頂片５を斜め上向きに傾斜させると、その上面とキャップ３の上面とを同一面に整合させることができる。なお、頂片５は、水平または円弧状等に湾曲したものであってもよく、また、クリップ１全体を硬質合成樹脂等により一体成形することもできる。
【００３０】
圧接片６の遊端部には、被挟持物の挿入を容易とするための外向き円弧状の折曲部６ａが形成されている。圧接片６の上下寸法は、この例ではキャップ３の長さとほぼ同等、例えば５０mm程度とされ、また固定片４の上下寸法は、圧接片６のそれよりも短かく、この例では圧接片６の長さの概ね１／３とされている。なお、固定片４の長さを長くすると、固定片４が係合片７を支点として弾性変形し易くなり、圧接片６による挟持力が小さくなるので、所要の挟持力を得るためには、固定片４の長さを、圧接片６の長さの約１／４〜１／２の範囲とするのが好ましい。
【００３１】
図２及び図４に示すように、頂片５と圧接片６の幅寸法は等しく、固定片４における遊端から頂片５のやや下部までの幅寸法は、頂片５及び圧接片６の幅寸法よりも若干小としてある。しかし、固定片４、頂片５及び圧接片６よりなるクリップ１全体の幅寸法を等しくしてもよい。
【００３２】
固定片４は、側面視において中央部が外方に膨出するように、なだらかに湾曲され、かつ圧接片６との間の間隔が、基端部から遊端部に向かって漸次小となるように外方に若干折曲されている。固定片４の遊端部には、詳細は後述するが、キャップ３に対し固定片４を抜止めするとともに、固定片４の支点でもある、側面視上向きコ字状の係合片７が外向きに連設されている。この係合片７の外面と圧接片６との対向面間には、キャップ３の周壁の肉厚とほぼ等しい隙間Ｓが形成されている。なお、この隙間Ｓは、キャップ３の周壁の肉厚より小としてもよい。
【００３３】
次に、上記構成のクリップ１をキャップ３に取付ける際の要領について説明する。
図５及び図６に示すように、キャップ３のやや斜め上向きに傾斜する上面板３ａの外周部には、上方に開口するとともに、キャップ３の内部に連通する平面視方形状の開口部８が形成されている。また、開口部８側において、キャップ３の周壁上部の内面には、上面が斜め下方に傾斜する三角形断面の突部９が、キャップ３の軸芯方向に向かって突設されている。なお、キャップ３の上面から突部９の下端までの寸法と、クリップ１の頂片５の上面から固定片４の係合片７の上端までの寸法とは、ほぼ等しくしてある。
【００３４】
使用に際しては、図５に示すように、キャップ３における周壁の上端の縁部を頂片５により覆うとともに、固定片４の係合片７と圧接片６とにより周壁を挟持するようにして、固定片４を開口部８よりキャップ３の内部に挿入する。すると、係合片７の下端が、突部９の上面の傾斜面に接触することにより、固定片４は内方に若干弾性変形させられ、係合片７が突部９を乗り越えると、突部７の下端に係合片７の上端が自動的に弾性係合する。これにより、固定片４の遊端部が、キャップ３の内面に抜止めされて固定され、不使用時において、圧接片６における遊端部の折曲部６ａを除いた部分が、キャップ３の外周面にそれと平行をなして圧接するようになる。
なお、クリップ１の取付け後において、キャップ３の周壁の上端と頂片５の下面との間には、固定片４が係合片７を支点として外方に傾動しうるとともに、クリップ１が上下方向にがたつかない程度の僅かな隙間を設けてある。
【００３５】
次に、図７〜図１２を参照して、クリップ１の作用と被挟持物の挟持の態様について説明する。なお、本実施形態では、被取付部材を筆記具２のキャップ３としてあるので、クリップ１の被挟持物１０としては、例えば衣服のポケットなどの布地、ノート、手帳またはその背表紙等が挙げられる。
【００３６】
図７及び図８に示すように、被挟持物１０を、圧接片６の遊端部に形成された折曲部６ａと、キャップ３の外周面との間の隙間より挿入すると、被挟持物１０の先端が固定片４の支点である係合片７に達する前までは、圧接片６のみが頂片５の外端を支点として徐々に外方に弾性変形する。
【００３７】
被挟持物１０をさらに奥まで挿入し、その先端が固定片４の支点である係合片７の位置を越えると、図９の矢印で示すように、固定片４が係合片７を支点として外方に傾動することにより、頂片５が被挟持物１０の厚さ分だけ外方に移動する。これにより、圧接片６は、内方に向かって傾動し、キャップ３及び被挟持物１０と平行をなして、その外面に均一に当接する。
また、この際、固定片４と圧接片６とが、被挟持物１０の厚さ分だけ拡開方向に弾性変形させられるので、それらの弾性反力により、圧接片６が被挟持物１０の外面に圧接し、被挟持物１０は、圧接片６とキャップ３の外周面とにより強く挟持される。
【００３８】
この際の挟持力は、圧接片６に対し、固定片４の長さが長くなるほど小さくなる。これは、固定片４の長さが長くなるほど、その遊端部の支点が頂片５より離間し、被挟持物１０を挿入した際に、てこの原理により拡開方向に弾性し易くなるためである。従って、固定片４の長さをあまり長くするのは好ましくなく、前述したように、所要の挟持力を得るために、その長さを、圧接片６の長さの約１／４〜１／２の範囲とするのがよい。
【００３９】
図１０に示すように、被挟持物１０の先端が係合片７の位置を越えた後は、被挟持物１０をさらに奥まで挿入しても、固定片４は殆ど傾動ぜず、圧接片６による被挟持物１０の挟圧面積のみが大となる。
【００４０】
図１１は、厚さの大きな被挟持物１０を挟持した例を示しているが、この際には、被挟持物１０の厚さを大とした分だけ、固定片４の傾動量が大きくなるので、上記と同様、圧接片６は被挟持物１０の外面と平行となって、それに圧接する。また、被挟持物１０の厚さを大とした分だけ、固定片４と圧接片６とが拡開方向に大きく弾性変形させられ、それらの弾性反力が増大するので、被挟持物１０の挟持力も大となる。
【００４１】
以上説明したように、上記第１の実施形態のクリップ１においては、不使用時において、圧接片６はキャップ３の外周面に圧接しており、外方への突出寸法が極めて小さいので、デザイン的に纏まりがよく、かつ筆記具２がコンパクト化する。
【００４２】
また、被挟持物１０の先端が固定片４の遊端部の支点である係合片７の位置に達するまでは、圧接片６のみが頂片５を支点として外方に弾性変形するので、被挟持物１０を軽い力で容易に挿入することができる。被挟持物１０の先端が固定片４の支点を越える位置まで挿入すると、固定片４が外方に傾動して圧接片６が被挟持物１０と平行となり、かつ固定片４と圧接片６とが拡開方向に弾性変形させられて、圧接片６が被挟持物１０の外面に強く圧接するので、被挟持物１０の挟持力が大となる。
【００４３】
さらに、被挟持物１０の外面に圧接片６が均一に圧接し、かつ被挟持物１０の挟圧面積及び摩擦抵抗も大であるので、被挟持物１０の挟持力を高めてこれを安定よく挟持することができ、従って、被挟持物１０またはキャップ３が脱落するのが防止される。
【００４４】
クリップ１は単体構造であり、かつ固定片４をキャップ３の開口部８より内部に挿入して、その遊端部の係合片７をキャップ３の内面の突部９に弾性係合させるだけで容易に取り付けうるので、部品点数及び組付工数が削減され、コスト低減が図れる。
【００４５】
図１２は、第２の実施形態に係るクリップ１を備えるキャップ３の要部を示すもので、この例では、キャップ３の内面に、被係合部としての凹部１１を設けるとともに、固定片４の遊端に、係合部としての外向きの係合片１２を突設し、この係合片１２を凹部１１に弾性係合させ、かつ係合片１２を支点として固定片４が傾動するようにしてある。この実施形態においても、上記と同様の作用効果を奏することができる。
【００４６】
図１３は、第３の実施形態に係るクリップ１を備えるキャップ３の要部を示すもので、この例では、頂片５及び固定片４と圧接片６の基端部の肉厚を大としたものである。このようにすると、被挟持物１０の挿入時に、固定片４と圧接片６とが拡開方向に弾性変形する際の抵抗力が増大し、それらの弾性反力も大となるので、被挟持物１０の挟持力が高まる。なお、この実施形態のクリップ１は、硬質合成樹脂等により成形することができる。
【００４７】
図１４は、第４の実施形態に係るクリップ１を備えるキャップ３の要部を示すもので、この例では、固定片４における係合片７よりもやや頂片５寄りの遊端部の外面に、係合片７よりも突出寸法の若干小さい突部１３を突設し、この突部１３を、固定片４の二次的な支点としたものである。
【００４８】
このような二次的な支点となる突部１３を固定片４に設けると、厚さの小さな被挟持物１０を挟持する際には、固定片４は係合片７を支点として傾動するが、図１５に示すように、厚さの大きな被挟持物１０を挟持して、固定片４が一定以上外方に傾動すると、二次的な支点である突部１３がキャップ３の内面と当接し、突部１３を支点として、固定片４が外方に傾動するようになる。このようになると、固定片４の有効長が実質的に短くなるので、拡開方向に弾性変形するときの抵抗力及び弾性反力が大となる。その結果、厚さの大きな被挟持物１０でも、大きな挟持力をもって安定よく挟持することができる。この実施形態のクリップ１においても、硬質合成樹脂等により成形することができる。また、上記第１の実施形態のような薄板材よりなる固定片４に、突部１３を溶接や接着等により固着してもよい。なお、この実施形態においては、突部１３を、上記とは反対に、キャップ３側の内面に設けてもよい。
【００４９】
本発明は、上記実施形態に限定されるものではない。
上記実施形態においては、クリップ１を薄板状としたが、ロッド状のものとしてもよい。
【００５０】
また、上記実施形態においては、キャップ３の上面に開口部８を設けて、この開口部８より固定片４を挿入するようにしているが、キャップ３の周壁部に開口部を設けて、この開口部より固定片４を挿入するようにしてもよい。
【００５１】
さらに、上記実施形態においては、圧接片６の遊端部に折曲部６ａを設けているが、このような折曲部６ａを省略して、ストレート状の圧接片６としたり、圧接片６の遊端部における被取付部材との対向面に、突出寸法の小さな玉部を設けたりしてもよい。
【００５２】
上記実施形態では、折曲部６ａを除いた圧接片６全体が、不使用時においてキャップ３の外面にそれと平行をなして圧接するようにしているが、例えば圧接片６における長手方向の上端部や中間部等を、キャップ３の外面と離間するように若干外向きに折曲し、その折曲部を除いた圧接片６全体が、不使用時においてキャップ３の外面にそれと平行をなして圧接するようにしてもよい。
【００５３】
上記実施形態では、本発明のクリップ１を、筆記具２のキャップ３に取付けた例を説明したが、例えばノック式のボールペンやシャープペンシル等、キャップのない筆記具の筒状の軸体に取り付けたり、筆記具以外の被取付部材、例えばクリップボード、ブックマーク、ペンライト、指示棒等に取り付けたり、歩数計や各種アクセサリー等のクリップとしても使用可能である。また、クリップ１が取り付け可能なキャップ３は、上記のような円筒状軸の他、楕円や多角形等の非円形をなす筒状軸であってもよい。
【符号の説明】
【００５４】
１  クリップ
２  筆記具(被取付部材)
３  キャップ(筒状軸)
３ａ上面板
４  固定片
５  頂片
６  圧接片
６ａ折曲部
７  係合片(支点)
８  開口部
９  突部
１０  被挟持物
１１  凹部
１２  係合片
１３  突部(二次的な支点)
Ｓ  隙間
【図１】
2014131839.tif 000003
【図２】
2014131839.tif 000004
【図３】
2014131839.tif 000005
【図４】
2014131839.tif 000006
【図５】
2014131839.tif 000007
【図６】
2014131839.tif 000008
【図７】
2014131839.tif 000009
【図８】
2014131839.tif 000010
【図９】
2014131839.tif 000011
【図１０】
2014131839.tif 000012
【図１１】
2014131839.tif 000013
【図１２】
2014131839.tif 000014
【図１３】
2014131839.tif 000015
【図１４】
2014131839.tif 000016
【図１５】
2014131839.tif 000017